(57)【要約】【課題】  入力して来る音声に係る信号をデジタルデータとして記録し、その記録されたデジタルデータ全体から所望するデータ部分を短時間で読み出すことが可能で、且つ、記憶部も含めた装置全体の構成が簡便である音声データの記録再生装置を提供する。【解決手段】  記録対象のデジタルデータに高速フーリエ変換処理を行って周波数成分の検出結果を得てデータ記録の開始からの積算時間に関連付けて検索用データとして記録し（Ｓ５）、読み出しを所望するデータの少なくとも一部に高速フーリエ変換処理を行って周波数成分検出結果を得てそのデータの時間に関連付けて読み出し用データとし（Ｓ８）、前記被検索データに前記読み出し用データを照合し（Ｓ１２）、記録されている全デジタルデータから読み出しを所望するデータ部分を見付け出すように構成した。【選択図】  図３
2009042431.tif 000002
【特許請求の範囲】
【請求項１】
音声に係るデジタルデータを記録媒体に記録し、その記録媒体に記録されたデータ全体の中から所望するデータ部分を特定して読み出し、再生、コピー、編集の少なくともいずれか一つを行う音声データの記録再生装置であって、
記録対象となる音声に係るデジタルデータの全域に高速フーリエ変換処理を行うことによってどの周波数成分がどれだけの振幅レベルで含まれているかの抽出を行い、その抽出結果をデータ記録の積算時間に対応付けて検索対象データとして記録し、読み出しを所望するデータの少なくとも一部を読み出し用データとし、その読み出し用データに対しても同様に高速フーリエ変換処理を行って周波数成分と振幅レベルの関係を抽出し、その抽出の結果に、前記読み出し用データの配列が時系列的に対応付くように、前記読み出し用データの時間を対応付けて目的データを作成し、その目的データを前記被検索データに照合することによって、読み出しを所望するデータが記録されている全デジタルデータのどの位置にあるかを検索するように構成したことを特徴とする音声データの記録再生装置。
【請求項２】
読み出しを所望するデータ位置の検索に用いる音声の種類が予め知られている場合には、記録対象のデジタルデータとして記録する際の高速フーリエ変換処理において、前記検索用に予め知られている種類の音声についてのみ高速フーリエ変換処理を行うことを特徴とする請求項１に記載の音声データの記録再生装置。
【発明の詳細な説明】
【技術分野】
【０００１】
この発明は、例えばマイクロホンが入力して来る音声をピックアップしてアナログの音声信号に変換し、そのアナログの音声信号をＡ／Ｄコンバータがデジタル信号に変換してそのデジタル信号をデジタルデータとして記録媒体に記録し、或いは、音声に係る放送を受信してその放送内容をデジタルデータとして記録媒体に記録し、その後、その記録したデジタルデータをアナログの音声信号に再生して出力する構成の音声データの記録再生装置に関する。
この発明は、特に、記録媒体に記録されたデジタルデータの中から所望するデータ部分を確実で簡便に読み出し得る音声データの記録再生装置の改良に関する。
【０００２】
尚、今日では斯かる構成の音声データの記録再生装置は多機能化されており、この発明は、記録媒体に記録されたデータの全部又は一部を用いて編集を行うデータ編集機能、記録媒体に記録されているデータの全部或いは一部を他の記録媒体にコピーを行うデータコピー機能、対応する映像をタイミング的に対応付けて記録し且つ出力する機能を備えて構成される装置も含むものである。
【背景技術】
【０００３】
近年では、容量が例えば数十ギガバイト（ＧＢ）と大きい記録媒体としてのハードディスクを備え、放送メディアから受信する全ての音声やそれに対応する映像の信号を対応付けて前記記録媒体に自動的にデジタルデータとして記録し、その記録したデジタルデータの中から、ユーザーが所望するデータ部分のみを例えばＤＶＤ記録媒体などの記録容量が数十メガバイト（ＭＢ）の比較的小さい記録媒体に再記録させ、こうすることによって記録されているデジタルデータ全体から所望するデータのみを小分けするかのようにして選択して取り出し保存して、結果的に、ユーザーが所望するデータ部分について簡便な再生を可能する構成の音声データの記録再生装置が知られている。
さて、容量の大きな記録媒体を備えた音声データの記録再生装置では、記録可能なデータの量に大きな制約がないことから、例えば、ある自然地区での数日に亘る鳥類の遠隔観察でマイクロホンに入って来る音声の全て、或いは、取り調べにおける長時間の録音式調書の作成のための音声の記録等が可能である。
【０００４】
尚、このように音声に係るデータ等の記録を連続的に行う場合では、記録媒体の容量が十分に大きいことから、記録用スイッチを小刻みにＯＮ／ＯＦＦを繰り返して記録を行う必要はなく、無駄なデータ記録部分も含めて記録がＯＮの状態に保ったままであっても構わない。
斯かる構成の音声データの記録の操作では、音声データ等を記録する際にユーザーが記録用スイッチをＯＮにすることを忘れて記録ミスをおかすといったこと防止するための機能が実質的に備えて構成されていることになり、有効で便利であるという効果が得られている。
【０００５】
他方、前記の大記録容量の記録媒体を備えた音声データの記録再生装置では、デジタルデータの記録可能な容量が大きくなればなるほど記録されるデータの総量が多くなる可能性が増え、記録されているデジタルデータのトータル量が多くなればなるほどユーザーは再生を所望するデータの検索、再記録を所望する対象のデータ部分の検索して見付け出すこと等がより一層煩雑になり、又、より一層多くの時間が必要になるという問題が生じることになる。
殊に、デジタルデータ全体の記録されている量が大き過ぎて、且つ、再生や再記録等を所望する対象のデータ部分を短時間で簡便に見付け出す場合には、問題は極めて深刻になる。
斯かる問題を解決するものとして、以下の文献で開示の発明が知られている。
【０００６】
【特許文献１】特開２００１−３２６８８９号報
【発明の開示】
【発明が解決しようとする課題】
【０００７】
特許文献１には、記録媒体の中から所望するデータ部分を簡便に検索して再生することを目的として、再生対象のデジタルデータにアドレス情報データを付加し、読み出しを所望するデータ部分を前記付加のアドレス情報データに基づいて検索を行う記録再生装置及び検索システムが開示されている。
斯かる構成の発明では、読み出しを所望するデータ部分にアドレス情報データが付加されていること、或いは、読み出しを所望するデータ部分にアドレス情報を付加することが可能であることが前提になっている。
【０００８】
従って、読み出しを所望することを前提として、デジタルデータの全域に対応してアドレス情報データを付加する必要があり、又、アドレス情報データの読み出しを行うにはそのアドレス情報データを読み取る手段が必要であり、結果的に、アドレス情報データが極めて多い量のデータであることから記憶部を含めて装置そのものが大掛かりになり、又、そのデータ量の多いアドレス情報データを短時間で読み取って所望するデータ部分（目的データ）を見付け出すことは困難であるという問題があった。
【０００９】
同様に、上記のアドレス情報データに類するデータとして、記録されているデジタルデータ全体に対して読み出しを所望するデータ部分の位置を絶対的な時間或いは相対的な時間で示す時間情報データ、受信したデータの中の音声信号の音量レベルでそのデータの位置を示すレベル情報データ等が挙げられる。
しかしながら、これらのアドレス情報データに類するデータを活用するには、当然ながら、活用すべきデータを再生対象のデータに付加するための手段及びそれを読み出す（検索する）手段が備わっていることが再生対象のデータの中から所望するデータの検索が可能になる前提であり、特許文献１で開示の発明と同様な問題を有することになる。
【００１０】
この発明は上記の事情に鑑みてなされたものであって、記憶容量の大きい記録媒体に音声に係るデジタルデータを記録し、その記録されたデジタルデータの中から所望するデータ部分を簡便に見付け出すことが可能であって、しかも、記憶部を含めた装置の構成が大掛かりにならず、且つ、読み出しを所望するデータ部分（目的データ）を短時間に見付け出し（検索し）、結果的に、その読み出しを所望するデータ部分を再生したり、その所望するデータを任意の記録媒体にコピーすること等が可能な音声データの記録再生装置を提供するものである。
【課題を解決するための手段】
【００１１】
この発明は、記録の対象のデジタルデータの全域に周波数成分検出のための高速フーリエ変換処理を行い、その処理結果をデジタルデータの記録の開始からの積算時間に関連付けて被検索用データとして記録し、読み出しを所望するデータの少なくとも一部に周波数成分検出のための高速フーリエ変換処理を行って、その高速フーリエ変換処理の対象となったデータの時間にその処理結果を関連付けて読み出し用データとし、前記被検索データに前記読み出し用を照合させることによって、読み出しを所望するデータ部分が記録されているデジタルデータのどの位置にあるかを見付け出すように構成した音声データの記録再生装置である。
その詳細な構成は、音声に係るデジタルデータを記録媒体に記録し、その記録媒体に記録されたデータ全体の中から所望するデータ部分を特定して読み出し、再生、コピー、編集の少なくともいずれか一つを行う音声データの記録再生装置であって、
記録対象となる音声に係るデジタルデータの全域に高速フーリエ変換処理を行うことによってどの周波数成分がどれだけの振幅レベルで含まれているかの抽出を行い、その抽出結果をデータ記録の積算時間に対応付けて検索対象データとして記録し、読み出しを所望するデータの少なくとも一部を読み出し用データとし、その読み出し用データに対しても同様に高速フーリエ変換処理を行って周波数成分と振幅レベルの関係を抽出し、その抽出の結果に、前記読み出し用データの配列が時系列的に対応付くように、前記読み出し用データの時間を対応付けて目的データを作成し、その目的データを前記被検索データに照合することによって、読み出しを所望するデータが記録されている全デジタルデータのどの位置にあるかを検索するように構成したことを特徴とする音声データの記録再生装置である。
【００１２】
ここで、積算時間とは、この発明の装置が機能して音声に係るデジタルデータの記録を開始し、その記録の開始から計時してデジタルデータを記録している時間を対象とした時間を意味するものであり、連続するデジタルデータＡとデジタルデータＢを記録している際に、デジタルデータＡとデジタルデータＢの間に記録の中断、装置の故障等があってデータの記録が行われない時間があれば、そのデータの記録が行われなかった時間を除いて計時することになる。
よって、斯かる構成の音声データの記録再生装置は、記録されて探索の対象となるデジタルデータに係る高速フーリエ変換処理結果と検索のための照合用データに係る高速フーリエ変換処理結果を照合して検索する際に、互いに時系列を対応付けて照合検索を行うようにしたことによって、斯かる照合検索において検索対象の候補を狭めることが可能になっている。
【００１３】
尚、記録媒体に記録されたデジタルデータの全域の中から所望するデータ部分を特定して読み出す具体的な方法として、読み出しを所望するデータ部分に対応する音声に係る信号又は音声に係るデータを楽器の演奏によって得られる楽器音、楽器音に係る信号又はデジタルデータが挙げられる。
又、上記楽器としては、ギター、電子オルガン、シンセサイザー、ピアノ、ヴァイオリン等が挙げられ、読み出しのための音声、音声信号等の入力の仕方には、読み出しを所望するデータに係る楽器の楽器音をマイクロホンでピックアップして入力する方法、データ全体からいずれそれらの楽器の楽器音を含むデータ部分を読み出す可能性がある場合にはその部分の楽器音を予めメモリチップ等に記録しておき、読み出しを所望する際にそのメモリチップから音声に係る信号又はデータを出力する方法等が挙げられる。
【００１４】
更に、検索の簡便化のために、記録するデジタルデータのうちで検索の対象となることが予め分かっているデジタルデータに対しては、その検索対象のデジタルデータを記録する際に高速フーリエ変換処理を行い、このことによって、検索対象デジタルデータに係る処理結果であって特徴を示す周波数成分とその時間長さに関連付けた時間関数に基づくデータ配列の間隔を予め特定する手段を備え、検索対象デジタルデータに適応する特徴的な周波数成分の帯域と音声が発せられるその間隔を検出し、検索対象データを作成する際にその特徴的な周波数成分に合致する部分だけについて高速のフーリエ変換処理を行う構成が挙げられる。
【００１５】
同じく、検索を簡便にするものとして、検索対象のデジタルデータの元になる音声の種類、つまり、特定の楽器音、特定の人の声等が予め知られている場合では、その楽器音に特有なコード、その特定の人の声と同じ特定の音声に対応する特徴となる周波数成分を割り出す手段を備え、その楽器の特有なコードやその特定の人の特有の音声に対応する全ての特徴となる一連の周波数成分の群（グループ）が決まることから、特徴となる周波数成分の群に関する部分についてのみ高速のフーリエ変換処理を行うことによって、記録用データを作成する構成が挙げられる。
尚、ここで言う一連の周波数成分とは、時系列的に並べられた複数の周波数成分を意味する。
【００１６】
又、記録されたデジタルデータの内で検索対象となるデータの音声の種類、例えば、楽器音の種類、特定の人の声等が予め知られている場合、或いは、読み出し用データを作成するための楽器、特定の人の声が決まっている場合においては、上述したと同様に、記録対象用のデジタルデータを作成する際にその予め知られている音声についてのみ高速フーリエ変換処理を行って記録し、それに対応したデータ照合の検索を行うことによって、記録対象のデジタルデータに係る高速フーリエ変換処理の処理結果を簡便にすることが可能になると共に、記録対象のデジタルデータを検索するために必要なデータの容量を小さく抑えることができ、更には、検索の際に行われる目的とするデータと記録されているデジタルデータの照合に要する処理を簡便にすることが可能になる構成が挙げられる。
【００１７】
ここで、この発明の要部の原理について以下に説明する。
音声は、単音が連続して出力されている場合又は互いに異なる複数の単音が連続して出力されている場合でない限り、時間の経過と共に発する音声の周波数は変化する。
又、音声をデータとして記録し、それが検索の対象になり得るのは、多くの場合、複数の異なる音声（周波数が互いに異なる複数の音声）が同時に出力されている場合である。
【００１８】
因みに、単音の連続、複数の互いに異なる単音同士の連続等が記録される場合では、再生を所望する音声はどの記録時点の音声も同じになるので、記憶されているデジタルデータどの部分を読み出しても所望する音声を得ることができ、検索上で問題が生じることはない。
又、再生の期間は、その読み出した音声を連続して所望する期間だけ繰り返せば、所望する音声が所望する期間だけ出力することが得られることになる。
【００１９】
他方、記録対象の音声が複数の相異なる音声である場合には、その音声をアナログ量として捉えてその音声信号が同時に出力されるとそれらの音声に係る波同士が重なり合ったものとなるので、この重なり合いによる合成波形から各々の音声信号を特定することは不可能になる。
これに対して、記録対象となる複数の相異なる音声信号に対して高速フーリエ変換処理を行った場合では、聴覚的に各音声が重なり合って合成されたものとなって聞こえても、その合成の音声に含まれている各音声の周波数成分は分離されて内容が判明されることになる。
【００２０】
従って、記録対象の音声データの全域に亘って高速フーリエ変換処理の結果によって特徴的な周波数成分が判明され、その特徴的な周波数成分をデータ記録の開始からの積算時間に関連付けて検索用データとして記録媒体に記録し、且つ、読み出しの対象になる音声に係るデータの周波数成分が高速フーリエ変換処理によって判っていてその特徴的な周波数成分を時間長さに関連付けて記憶し、それらの周波数成分及びその特徴なる周波数成分が示される間隔、所謂、この発明においていうデータの時系列的な配列の照合を行うことによって、記録媒体に記録されているデータの中から、読み出しを所望する位置を示す目的データに一致する、又は、極めて近似する部分を特定することが可能になる。
つまり、例えば、米国で取調官が犯罪者に対して調書を取る、裁判記録を音声データとして記録する場合等では、録音機つまり音声データの記録再生装置を使用することが知られている。
【００２１】
そして、或る一つの事件について複数回に亘って行われる調書取りや裁判記録の作成では、トータルとして数百時間と極めて長い音声データの記録が行われる場合が生じる。
こういった極めて長時間の音声データを記録する際には、データを時系列的に記録しておくと、後日、データの整理が多大に容易になるので、データの記録を行う度毎に、ユーザーが記録の冒頭に開始の日時等を述べ、その音声をデータとして記録しておくとよい。
【００２２】
このように行った音声データの記録では、後日、読み出しを所望するデータを捜して再生する際に、その読み出しを所望するデータの日時等をユーザーが検索用に音声で入力して、その日時の音声について高速フーリエ変換処理を行ってその処理結果をデータ全体の高速フーリエ変換処理の結果と照合することにより、読み出しを所望するデータを簡単に検索して見付け出すことが可能になる。
しかしながら、読み出しで検索の対象となるデジタルデータが記録されている記録媒体の記憶容量が例えば６０ギガバイト（ＧＢ）と十分に大きな場合であって、且つ、真に読み出しを所望する目的データに係る周波数成分と同じ或いは近似する内容の周波数成分を有するデータ部分が複数存在する場合では、所望する読み出し部分を簡単に特定することは難しくなる。
【００２３】
殊に、記録されている音声のデジタルデータが洋楽における楽器の音声（楽器音）に係る場合では、音声の出力は音声の高低、音声の長短等が離散的な値を取るように行われるので、テンポが大きく異なる場合は別として、高速フーリエ変換処理による周波数成分の照合において真に読み出しを所望するデータと照合部分だけが一致しているが求めているデータとは内容が全く異なるデータ部分が非常に多く存在する場合が考えられ、照合部分が一致しているという程度までは検索範囲を狭めることまでは可能であるが、検索手段としてさほど有効であるとは言えないという問題が生じる。
これに対して、読み出しを所望するデータを検索するための照合用の音声データをもっと長い時間のデータとすることによって、検索の精度を上げて真に読み出しを所望するデータを見付け易くするという方法が考えられる。
【００２４】
斯かる方法では、照合用の音声データの長さが長ければその分、より一層検索の範囲を狭めることが可能になり、真に求めるデータをより一層見付け出し易くなる。
しかし、時間の長い照合用の音声データを用意するのであれば、場合によっては、例えば、読み出しを所望することになるであろうデータを最初から他の記録媒体に記録するなどといった他の簡便で検索が確実な方法が考えられる。
【００２５】
そこで、この発明の発明者は、読み出しを所望するデータ部分に対して更に特徴を示す要件を付加することによって検索の絞り込みの結果がより一層限定されたものとなるようにすることにより、この発明を完成させた。
つまり、例えば音声データが楽曲に関わるものである場合、読み出しを所望する検索用データを特定の楽器に係る音色のデータに限定することで読み出しを所望する検索用データの候補選択肢をより一層狭い範囲に限定するということである。
【００２６】
具体的には、音声データを記録媒体に記録する際に、例えば使用する楽器がヴァイオリン、ギター、シンセサイザー、ピアノ、電気オルガン等であれば、操作部においてその楽器を設定することによって識別性を示す特徴的な周波数成分の群を特定しその特定を行った後に、コード入力部に対して一小節或いはそれより短い程度を演奏し入力することで、音色が発せられる間隔が決まり、所謂データの配列が決定する。
ここで、照合の対象となる記録媒体に記録される検索用データは、検索に使用する検索用データに関する楽器が特定されることによって、データ全域に亘って高速フーリエ変換処理を行う際に前記識別性を示す特徴的な周波数成分の群に係る成分についてのみ検出を行い、その結果、検索用データとして記録媒体に記録される。
【００２７】
又、検索を行う際に予め短い演奏を行うことによって、読み出しを所望するデータの位置に対応する目的データの配列が決定し、記録媒体に記録したデータの中から目的データと一致する、或いは、近似する記録用データの配列位置を記録媒体の別の記録エリアに積算時間で記録し、読み出しを所望するデータの位置を自動的に記録する手段を備え、目的データを予め設定しておくことで、検索の際は先に別のエリアに記録した読み出し位置を示すデータ記録開始からの積算時間の位置に従って、読み出しを所望するデータの位置を検索することを可能とするものである。 
【発明の効果】
【００２８】
この発明は、マイクロホンがピックアップする音声、ラジオ受信機が受信する音声に係る信号、複写することによって得られる音声に係るデジタルデータ等をデジタルデータとして記録する際に、その記録対象のデジタルデータ全域に対して高速フーリエ変換処理によって前記デジタルデータの周波数成分と振幅レベルを抽出してその全域データの抽出結果を経過時間と対応付けて記録し、前記デジタルデータの中から部分的にデータの読み出しを所望する際にはその読み出しを所望するデータの少なくとも一部を高速フーリエ変換処理によってデータを構成する周波数成分と振幅レベルを抽出して時系列的な所望データの抽出結果を得て前記全域データの抽出結果に照合し、しかも、その照合が互いに共通する時系列配列になった周波数成分同士の照合であって、候補となるデータ部分の検索を行い照合において合致するデータ部分を特定し、記録媒体に記録されたデジタルデータの中から、読み出しを所望するデータの部分を正確に検索し読み出し位置を確定する構成であることから、アドレス情報データなどの検索のためのデータを大きく取らずとも検索対象をより一層狭めることが可能であり、検索が簡便であってその分検索を短時間で行うことが可能で、装置が大掛かりになることのない音声データの記録再生装置である。
【００２９】
又、読み出しのための音声の種類が予め知られている場合には、その予め知られている音声についてのみ記録対象のデジタルデータ及び読み出し用データを高速フーリエ変換処理し、音声の種類の特定で検索の対象となるデータ範囲が狭くなり、より一層検索が簡便で短い時間で済ますことが可能になる。
【発明を実施するための最良の形態】
【００３０】
この発明を、以下に示す最良の形態に基づいて説明する。しかし、この形態によってこの発明が限定されるものではない。
まず、図１は、音声データの記録再生装置１の外観を示す斜視図であり、図２は、記録媒体Ａ１９，Ｂ２０が接続されている状態の音声データの記録再生装置１の構成を説明するブロック図であり、図３は、音声データの記録再生装置１の機能のステップの概略を説明するフローチャートである。
【００３１】
音声データの記録再生装置１は、装置本体であるケーシング２の表面又は内部に配設される入力端子３と、右マイクロホン４と、左マイクロホン５と、コード入力部６と、Ａ／Ｄ変換器７と、クロック８と、デジタル信号プロセッサ９（以下、「ＤＳＰ９」と称する。）と、記録再生部１０，１１と、ＣＰＵ１２と、メモリ１３と、操作部１４と、表示部１５と、Ｄ／Ａ変換器１６、出力端子１７、スピーカ１８が備えられている。
尚、記述したように、音声データの記録再生装置１の構成を示す図２においては、記録再生部１０，１１にそれぞれ記録媒体Ａ１９，記録媒体Ｂ２０が接続されている。
【００３２】
又、記録媒体Ａ１９は、具体的にはハード・ディスク・ドライブのメモリであって、その記憶容量は例えば６０ＧＢと比較的に大容量であり、記録媒体Ｂ２０は、具体的にはカード型メモリであって、その記憶容量は例えば６４メガバイト（ＭＢ）と比較的に小さい容量である。
そして、記録媒体Ｂ２０に関しては記録媒体の交換、或いは、記録媒体に記録したデジタルデータを他の記録再生装置においても記録再生を行いうる可能性、所謂記録メディアの互換性を考慮し、記録メディア自身の着脱を比較的簡単に行い得る構成となっている。
【００３３】
音声データの記録再生装置１のケーシング２の前部に凹部（図示省略）が設けられ、その凹部に１１のコネクタ（図示省略）が配設され、そのコネクタに記録媒体Ｂ２０が接続されると、記録媒体Ｂ２０は前記凹部に収納される位置を取る構成になっている。
２１は蓋体であって、ケーシング２の本体に対して矢印Ｃ方向に回動可能であり、前記凹部を閉塞するためのものである。
【００３４】
蓋体２１を前記凹部に対して開の位置を取らせることによって、記録媒体Ｂ２０と記録再生手段１１の着脱が可能になる構成となっている。
ケーシング２の前部及び天面は、操作部１３の一部を構成し、ユーザーが操作を行うための操作スイッチ類が配設されている。
【００３５】
又、ケーシング２の天面には、表示部１５の液晶表示パネル２２と、右マイクロホン４用及び左マイクロホン５用のマイクロホングリル２３と、スピーカ１８用のスピーカグリル２４が配設されている。
更に、ケーシング２の右の側部には、入力端子３とコード入力部６が配設されている。
【００３６】
以下において、図２に示す各部の機能を説明する。
入力端子３は、外付けのマイクロホン、チューナー、楽器用マイクロホン等（以上、図示省略）の外部からの音声信号を入力するものである。
右マイクロホン４及び左マイクロホン５は共に、集音面がケーシング２の天面から上方向の姿勢で配設され、録音対象の音声をピックアップすると電気信号に変換し、更に、所定のレベルに増幅した後にＡ／Ｄ変換器７に送るものである。
【００３７】
コード入力部６は、読み出しを所望するデータと同一若しくは極めて近似のアナログの音声（コード）を入力し、所定のレベルに増幅した後にＡ／Ｄ変換器７に送るためのものである。
コード入力部６に入力されるコードは、具体的に、マイクロホンで拾われた人の声の音声信号、エレキギター、電子オルガン等からの音声に係るコード、ピアノ、シンセサイザー等の楽器音をマイクロホンでピックアップして得られた音声に係る信号等が挙げられる。
【００３８】
Ａ／Ｄ変換器７は、入力されて来るアナログの信号をデジタルデータに変換してＤＳＰ９に送るものである。
クロック８は、記録再生制御部２７の動作クロックとしての機能を有すると共に、計時機能として日時と時刻を設定するためのものであって、記録再生制御部２７に入力されるデータは時間データが付されて記録媒体Ａ１９に記録される構成になっている。
【００３９】
ＤＳＰ９は、Ａ／Ｄ変換器７からの音声に係るデジタルデータを受け取ると、その音声に係るデジタルデータにどの周波数成分がどれだけの振幅レベルで含まれているかを抽出する高速フーリエ変換処理を行って、その処理結果を検索対象データとして記録するものである。
又、ＤＳＰ９は、コード入力部６からＡ／Ｄ変換器７を介して入力された音声に係るデータ、つまり、コードを変換して得られるデジタルデータを受け取ると、そのデジタルデータに上記と同様の高速フーリエ変換処理を行い、この処理によって得られる結果のデータと前記検索対象データの中から同一若しくは極めて近似のデジタルデータを部分的に同じである箇所を照合することで求めるデータを検索し、その対応する箇所を見付け出して呼び出せるように示す機能が備えられている。
【００４０】
ＤＳＰ９は、ＦＦＴ処理部２５、記憶部２６、記録再生制御部２７、記憶部２８、音声コード化処理部２９を備えて構成されている。
ＦＦＴ処理部２５は、Ａ／Ｄ変換器７からデジタルデータを入力すると、高速フーリエ変換処理を行ってその連続するデジタルデータの各部にどの周波数成分がどれだけの振幅レベルで含まれているかを抽出するものである。
【００４１】
記憶部２６は、ＦＦＴ処理部２５の後段に接続され、ＦＦＴ処理部２５における高速フーリエ変換処理の抽出結果を元に特徴的な周波数成分のデータ（デジタルデータ全域に対する抽出データであって、被検索データ）を積算時間と対応付けて記憶するものである。
尚、前記被検索データは、記憶部の２６の記憶容量を大きく取ることができない場合には、記録媒体Ａ１９に記憶する構成であってもよい。
又、ここで言う積算時間とは、音声に係るデジタルデータの記録を開始し、その記録の開始から計時してデジタルデータを記録している時間を対象とした時間を意味するものであって、デジタルデータの記録に中断、装置の故障等があってデータの記録が行われない時間があれば、そのデータの記録が行われなかった時間を除いて計時することになる。
【００４２】
記録再生制御部２７は一つに、Ａ／Ｄ変換器７から音声に係るデジタルデータを受け取って、記録再生部１０がＡ／Ｄ変換器７からのデジタルデータを記録媒体Ａ１９に記録を行うことの制御、及び、記録媒体Ａ１９に記録されたデジタルデータの再生を行うことの制御を行うものである。
又、記録再生制御部２７は、ＦＦＴ処理部２５の高速フーリエ変換処理（特徴となる周波数成分の抽出処理）によって得たデータを記憶している記憶部２６から記録対象のデジタルデータに係る周波数成分のうちで特徴的な成分を示す抽出処理データを読み出して、記録再生部１０を介して、記録媒体Ａ１９に記録時間を関連付けて記録するための制御、及び、記録媒体Ａ１９に記録される周波数成分に係るデータとその配列を読み出すための制御を行うものである。
【００４３】
更に、記録再生制御部２７は、記録媒体Ａ１９に記録されているデジタルデータの中から読み出しを所望するデジタルデータ部分の配列の位置について検索の要求が行われた場合には、記録再生部１０を介して記録媒体Ａ１９に記録されているＦＦＴ処理部２５で得られた周波数成分に係るデータを読み出し、その読み出したデータと所望するデータの位置に対応するデータの配列を元に参照比較を行ってユーザーが読み出しを所望するデジタルデータ部分の位置を短時間で的確に検索し、検索によって所望するデジタルデータ部分の位置が確定すると、そのデジタルデータ部分の位置を再生開始の位置としてサーチ（再生位置の移動）を行うように制御を行うものである。
加えて、記録再生制御部２７は、記録再生部１１がＡ／Ｄ変換器７からの音声に係るデジタルデータを記録媒体Ｂ２０に記録を行うことの制御、記録再生部１１が記録再生部１０からの音声に係る再生デジタルデータを記録媒体Ｂ２０に記録を行うことの制御、及び、記録再生部１１が記録媒体Ｂ２０から音声に係るデジタルデータの再生を行うことの制御を行うものである。
【００４４】
記録再生制御部２７は、更に、記憶部２６に記憶されているＦＦＴ処理部２５による上記抽出結果に基づいて、記録媒体Ａ１９に記録されているデータの中から上述の入力されたコードに一致する配列を照合して読み出し、その読み出した対象のデジタルデータを記録媒体Ｂ２０にそのまま記録する、つまり、編集機能の制御を行うものである。
音声コード化処理部２９は、Ａ／Ｄ変換部７からの音声に係るデータがＦＦＴ処理部２５においてＦＦＴ処理されてそのデータの特徴的な周波数成分が導き出されると、その周波数成分に関して操作部１４によって操作設定された固有の楽器の音色に合致する楽器のコードに変換を行って音声コードを割り付け、入力される音声信号に関連付けて記憶部２８に記憶を行うものである。
【００４５】
記憶部２８は、上記楽器のコードを記憶するものである。又、記憶部２８は、コード入力手段６から入力される読み出しのための音声信号の種類、例えば、エレキギター、電子オルガン、ピアノ、シンセサイザー等である際に、その音声信号の種類を操作部１４から入力すると、その音声信号の種類を記憶するものである。
操作部１４は、ユーザーからの操作を受けてその旨を制御のための信号としてＣＰＵ１２に送るものである。尚、操作部１４は、コード入力部６から検索のための音声信号を入力する際に、その音声信号が特定の楽器に係る音声信号である場合、例えばエレキギターの音声信号、電気オルガンの音声信号等であった場合に、その旨をＤＳＰ９に知らせるための信号をも出力するものである。
【００４６】
ＣＰＵ１２は、操作部１４とＤＳＰ９の間にあって、ユーザーからの操作内容を所定の制御信号に変換して出力するものである。
メモリ１３は、ＣＰＵ１２の機能を補助するためのデータを記録しているものである。
表示部１５は、装置の現行状態、操作部１４に入力した操作の内容、記録と再生の時間、記録レベル、ＦＦＴ処理部２５における処理に関する周波数を簡素化して示す図、コード入力部６から入力される信号の楽器コード、現在時刻等を表示するものである。
【００４７】
Ｄ／Ａ変換器１６は、実質的に、記録再生部１０，１１の後段に接続され、記録媒体Ａ１９及び記録媒体Ｂ２０からの再生された音声に係るデジタルデータを受け取ってアナログの信号に変換し、出力レベルを所定のレベルに加工してから出力するものである。
出力端子１７は、Ｄ／Ａ変換器１６の後段に接続され、外付けのスピーカ等に音声に係るアナログ信号を出力するものである。
【００４８】
スピーカ１８は、Ｄ／Ａ変換器１６の後段に接続されて、音声に係るアナログ信号を受けて音声に変換して出力するものである。
音声データの記録再生装置１は、上述したように構成されている。以下において、読み出しを所望するデータ部分の検索の機能について説明する。
【００４９】
音声データの記録再生装置１は、予め入力端子３にラジオ受信機（図示省略）の出力端が接続されている。尚、このラジオ受信機には、モニタースピーカが備えられていて、モニター音を聴くことが可能になっている。
又、記録媒体Ａ１９には既に前記ラジオ受信機からの音声に係る一定量のデジタルデータが記録されており、その一定量のデジタルデータは記録媒体Ａ１９に記録される際にＦＦＴ処理部２５においてデータの全域に亘って高速フーリエ変換処理によってどの周波数成分がどれだけの振幅レベルで含まれているかの抽出が行われ、その抽出によって得られた結果は積算時間と対応付けられて被検索データとして記憶部２６及び記録媒体Ａ１９に記録されている。
【００５０】
ユーザーはまず初めに、操作部１４を操作して音声データの記録再生装置１のメイン電源をＯＮにして出力状態にさせ（Ｓ１）、続いて、前記ラジオ受信機からの音声信号を記録媒体Ａ１９に記録するように操作部１４を操作する（Ｓ２）。
ここで、ＤＳＰ９において、ＣＰＵ１２を介して操作部１４から記録対象の音声の種類つまり被検索音声の種類が指定されているか否かの判別が行われ（Ｓ３）、前記ラジオ受信機からの音声に係る信号は、入力端子３を介してＡ／Ｄ変換器７に送られ、アナログの信号からデジタルのデータに変換されてＤＳＰ９に送られる。
【００５１】
前記ラジオ受信機からの音声信号に基づくデジタルデータはＤＳＰ９に入力されると、ＦＦＴ処理部２５と記録再生制御部２７に送られる。
ＦＦＴ処理部２５は、前記デジタルデータを受け取るとその受け取ったデジタルデータの全域に亘って高速フーリエ変換処理を行い（Ｓ４）、この処理によって各データ部分にどの周波数成分がどれだけの振幅レベルで含まれているかの抽出を行い、その抽出結果をデータ記録の積算時間と対応付けて被検索データとして記憶させるように記憶部２６に送る（Ｓ５）。
尚、ここで言う積算時間は、クロック８の計時機能によって得ている。
【００５２】
又、ＦＦＴ処理部２５は、入力されて来るデジタルデータを幾つかのグループに分けて演算処理し、その際の計算順序を工夫することによって、グループ分けの数をＮ個とした場合に、演算の回数はＮｌｏｇＮに比例するものとなる。
他方、通常の変換では、演算の回数は２のＮ乗に比例するものとなる。
よって、高速フーリエ変換処理を行う方が演算の回数が極めて少なく、殊に、グループ分けの数Ｎを多くするほど演算の数が少なくて済むメリットが大きくなり、その分、演算処理に要する時間を短縮することが可能であり、演算手段の構成を簡便にすることが可能になっている。
【００５３】
他方、記録再生制御部２７に送られたデジタルデータは、クロック８からのクロック信号に対応付けられ、記録再生部１０によって記録媒体Ａ１９に順次記録される（Ｓ８）。
このようにして、前記ラジオ受信機からの音声信号をデジタルデータとして記録媒体Ａ１９に記録していると、次の放送の曲がユーザーのお気に入りの箏曲である「春の海」である旨が前記ラジオ受信機の前記モニタースピーカから聞こえて来た。
尚、この時点でも、入力される前記ラジオ受信機の音声信号に係るデジタルデータに対してＦＦＴ処理部２５によって高速フーリエ変換処理が行われている（Ｓ４）。
【００５４】
そこで、ユーザーは、シンセサイザー演奏が得意であって手元にシンセサイザーがあったので、操作部１４から右マイクロホン４及び左マイクロホン５の機能をＯＮにするための操作を行い、更に、コード入力部６から入力される音声をヴァイオリンに似せたシンセサイザー音である旨の操作を行った（Ｓ３）。
ここで、右マイクロホン４及び左マイクロホン５は機能可能状態になり、操作部１４はシンセサイザーの音声信号がコード入力部６に入力される旨をＣＰＵ１２に送る。
【００５５】
ＣＰＵ１２は、右マイクロホン４及び左マイクロホン５から入力される音声がシンセサイザーの音声である旨を受けると、ＤＳＰ９はＣＰＵ１２の前記操作信号（制御信号）の受け取りに基づいて入力されるデジタルデータはシンセサイザー演奏であると指定されて、その旨を音声コード化処理部２９に送る。
ここで、音声コード化処理部２９は、入力される音声信号の一つがシンセサイザーに係るものであると判断し、記憶部２８に記憶されたシンセサイザーの音声コードを読み出してシンセサイザーの音声（この場合では、ヴァイオリンの擬似音）に固有の音声コードに係る周波数データに変換し、ＦＦＴ処理部２５にシンセサイザーの音声コード群に対応する周波数データを送り、ＦＦＴ処理部２５の高速フーリエ変換処理のパラメータを可変させて、マイクロホン４，５から入力される信号に含まれる前記シンセサイザー固有の音声コードに係る周波数成分が検出し易いように設定を行う（Ｓ６）。
【００５６】
ＦＦＴ処理部２５は、箏曲「春の海」のデータ部分の検索用となる頭出し用コード（検索読み出し用コード）に係るデジタルデータに高速フーリエ変換処理（Ｓ７〜Ｓ９）を行って、そのデータにシンセサイザー音声に固有の音声コードに係る周波数成分がどれだけの振幅レベルで含まれているかを抽出し、その抽出結果を特徴ある周波数成分のデータとして記憶部２６に送る。
シンセサイザーの音声を用いた箏曲「春の海」を読み出すための頭出しコードの入力を終えると、操作部１４を操作して頭出し用コードの入力を完了し（Ｓ１０）、頭出し用コードとその時系列上の配列が記憶部２６に記憶される（Ｓ１１）。
【００５７】
前記ラジオ受信機から入力される音声信号と、右マイクロホン４及び左マイクロホン５からのシンセサイザーの音声信号を合成した音声信号に係るデジタルデータは、前記シンセサイザー固有の音声コードに係る周波数成分を検出するためにパラメータの設定を行った高速フーリエ変換処理２５によって周波数分析が行われ、特徴となる周波数成分のデータが検出されると、記録再生制御部２７は、記録媒体Ａ１９に積算時間に対応付けて記録すると共に記憶部２６に記憶されているシンセサイザーの演奏によって行われた頭出し用コードとそのデータの時系列的な配列に基づいて照合を行い（Ｓ１２）、前記データの時系列的な配列に合致もしくは近似する部位を検出し、その部位に係る積算時間を記録媒体Ａ１９の別のエリアに記録し（Ｓ１３）、表示部１５にその部位の積算時間を示す表示が行われ、次のデータから更なる照合を行って、検索対象となるデータの全域について同様の手順でデータの時系列的な配列の照合を行う。
【００５８】
予め検索に使用する音声の種類と頭出し用のコードの配列が判明している場合では、前記の記録の際に、記録媒体Ａ１９の別のエリアに記録した積算時間に対応付く部位に記録されたデータを読み出して、その部位から再生を開始することによってその特定の部位を再生することが可能になる。
他方、検索するための音声（楽器）の種類だけが判明していて、且つ、読み出し用コードが予め判明していない場合の照合の検索の仕方について、以下に記述する。
【００５９】
前記ラジオ受信機から入力される音声信号と、右マイクロホン４及び左マイクロホン５から入力されたシンセサイザーの音声信号を合成した音声信号に係るデジタルデータは、前記シンセサイザー固有の音声コードに係る周波数成分を検出するためにパラメータの設定を行った高速フーリエ変換処理２５によって周波数分析が為され、特徴となる周波数成分のデータが検出されると、記録再生制御部２７は、記録媒体Ａ１９に積算時間に対応付けて記録を行う。
ユーザーは、箏曲「春の海」を演奏し終えると、右マイクロホン４及び左マイクロホン５の機能をＯＦＦにし、コード入力部６から入力される信号の音声の指定を操作部１４において解除し、前記ラジオ受信機からの音声信号の記録を続けた（Ｓ４〜Ｓ８）が、その後、ラジオ放送を楽しむことに飽きが来たので、前記ラジオ受信機の機能を停止すると共に、操作部１４を操作して音声データの記録再生装置１の電源をＯＦＦにして機能を止めた。
【００６０】
上述したように、記録媒体Ａ１９は記録の容量が６０ＧＢと十分に大きいことから、ユーザーは音声データの記録再生装置１を機能させて、更に所望する音声に係るデータの記録を行った。
この音声データの記録再生装置１を機能させて音声データの記録を更に行うことによって、前記箏曲「春の海」に係るデジタルデータが記録媒体Ａ１９のどの部分に記録されたか判らない状態になってしまった。
【００６１】
その後、ユーザーは、友人から箏曲「春の海」を聴きたいと言われたので、音声の種類がヴァイオリンの擬似音であるシンセサイザー演奏が含まれているのであっても構わなければ、記録媒体Ａ１９にデータとして記録されているのでその曲を聴くことは可能である旨を述べた。
すると、その友人は、実は琴単独の演奏よりも、箏曲「春の海」はヴァイオリンとの共演の方がより一層聴きたいと思っていたので、シンセサイザーのヴァイオリンに似た音声との共演であれば是非聴かせて欲しいとのことであった。
【００６２】
そこで、ユーザーは、操作部１４を操作して、コード入力部６からの検索用の音声がヴァイオリンの音声に似せたシンセサイザー音に係るものであると設定すると（Ｓ３）、ＣＰＵ１２から高速フーリエ変換処理のパラメータを変更すべき旨の制御信号に従って、ＤＳＰ９はシンセサイザーの音声に係る周波数の群に関する成分の振幅レベルのみを抽出するようにＦＦＴ処理部２５のパラメータを変更し（Ｓ６）、変更後のパラメータは記憶部２６に記憶される。
ここで、ユーザーは、音声データの記録再生装置１を機能させて、手元にあるシンセサイザーの出力端子（図示省略）をコード入力部６に接続してから、箏曲「春の海」に係るデータを目的データとして（Ｓ７）、その曲の頭出し用コード（頭出し部分のデータ）を前記シンセサイザーで奏でた（Ｓ９）。
【００６３】
ユーザーがシンセサイザーを使って箏曲「春の海」の頭出し用コードの演奏を行い、そ後、操作部１４において目的データの入力が完了した旨を操作すると表示部１５にその旨が表示された（Ｓ１０）。
この頭出し用コードのアナログの音声信号は、Ａ／Ｄ変換部７でデジタルのデータとなってＦＦＴ処理部２５に送られる。
【００６４】
ここで、ＦＦＴ処理部２５は、頭出し用コードに係るデジタルデータに対して高速フーリエ変換処理を行って（Ｓ９）、そのデータにシンセサイザーに固有の音声コードに係る周波数成分がどれだけの振幅レベルで含まれているかを抽出し、その抽出結果をクロック８からの時間経過と対応付けて、前記シンセサイザーの擬似ヴァイオリン音声の固有の周波数成分のデータとして記録再生制御部２７に送る。
記録再生制御部２７は、記憶部２６に記憶されているデジタルデータ全体に係る高速フーリエ変換処理の結果に対して記憶部２８に記憶されている音声コードがシンセサイザーであることに基づく第１次のフルイを掛け（Ｓ６）、シンセサイザーの音声に係るデータに絞り込む。
【００６５】
この時点では、記録媒体Ａ１９に記録されている音声に係るデジタルデータのうち、音声がシンセサイザーに係るデジタルデータだけが検索の対象として残る。よって、被検索デジタルデータの中から目的データの第１次の絞り込みを行っているので、その分、シンセサイザーの音声を含まない音声に係るデジタルデータに対する検索が不要となるので、検索時間を短縮することが可能になっている。
ＦＦＴ処理部２５は、頭出し用コードに係るデジタルデータに対して高速フーリエ変換処理を行って（Ｓ９）、そのデータにシンセサイザーに固有の音声コードに係る周波数成分がどれだけの振幅レベルで含まれているかを抽出し、その抽出結果を経過時間と対応付けてシンセサイザーの入力の特徴を示す周波数成分のデータとして記録再生制御部２７に送る（Ｓ１０〜Ｓ１１）。
【００６６】
ここで、記録再生制御部２７は、記録媒体Ａ１９に記憶されているデータ全体に係る高速フーリエ変換処理の結果に対して記憶部２６に記憶されているシンセサイザーの演奏によってなされた頭出し用コードとそのデータの時系列上の配列に基づいて照合を行って、記録媒体Ａ１９に記憶されていて且つ上記の第１次のフルイで目的コードの候補として残された被検索用データ領域の頭部のデータから、前記データ及びその時系列上の配列に合致する部位を検出する（Ｓ１２）。
この検出で得られた部位に係る積算時間を記憶部２６に記憶し、表示部１５にその部位の積算時間を表示し、更に次データから同様の手順で照合を行って、検索対象となるデータの全域について照合を行う。データの全域について前記照合を全て終えると記憶部２６に記憶した照合の結果に基づく頭出し用コードに近似された部位を示す積算時間が全て表示部１５に表示される。
【００６７】
次に、記録再生制御部２７は、上記で得られた検索対象として残ったデジタルデータに対して記憶部２６に記憶されている上記検索読み出し用である頭出し用コードに係る高速フーリエ変換処理の結果を照合させ、箏曲「春の海」の頭出し部分に係るデジタルデータを検索する。
ここで、前記第１次のフルイで残ったデジタルデータに係る高速フーリエ変換処理の結果と前記頭出し部分のデジタルデータに係る高速フーリエ変換処理の結果は共に全く同じの時系列的に並んだ特徴的な周波数成分となっており、又、それらの周波数成分の配列の塊が互いに全く一致している部分は極めて限られていることから、ここの検索照合で合致するデータ部分が目的とするデータ部分であると判断する。
【００６８】
ユーザーは、上記の検索で候補となっているデータ部分が２箇所あることが表示部１５で確認できたので、被検索データである記録媒体Ａ１９に記録されているデジタルデータ全体に対して目的データの候補に該当する２箇所のデータの頭出し部分をそれぞれ１０秒ずつ再生するように、操作部１４から操作する。
ここで、ＣＰＵ１２は操作部１４からの制御信号に基づいて、記録媒体Ａ１９に記録のデジタルデータ全体から目的データの候補の２箇所のデータの頭出し部分をそれぞれ１０秒ずつ再生するように、ＤＳＰ９に制御信号を送る。
【００６９】
ＤＳＰ９はＣＰＵ１２から上記の制御信号を受け取ると、記録再生制御部２７は、記録再生部１０が記録媒体Ａ１９に記録されているデジタルデータの中から上記該当する２箇所のデータを読み出してそれらの頭出し部分をそれぞれ１０秒ずつ再生するように、制御を行う。
ここで、記録再生部１０は、記録再生制御部２７の制御に基づき、前記該当データ部分の頭出し部分であってそれぞれ演奏時間で１０秒ずつに対応するデジタルデータを再生して、Ｄ／Ａ変換器１６に送る。
【００７０】
スピーカ１８は、Ｄ／Ａ変換器１６からアナログの再生された音声信号を受けて、音声として出力する。
ここで、ユーザーは、スピーカ１８からの音声が箏曲「春の海」であることを確認すると共に、以前、データとして記録した箏曲「春の海」を箏曲ばかりを集めてアルバムとしてコピー編集したことを思い出し、記録媒体Ａ１９には箏曲「春の海」が２箇所で記録されていることに気付いた。
【００７１】
ユーザーは、２箇所に記録されている箏曲「春の海」は元々同じデジタルデータであることなので、現時点で音出しの確認を行ったデータ部分について再生を行い、出力端子１７から外付けの音質の良いスピーカ（図示省略）を使用して箏曲「春の海」を上記友人に聞かせてあげた。
箏曲「春の海」の再生を終えたので、ユーザーは操作部１４を操作して電源をＯＦＦにし（Ｓ１４）、音声データの記録再生装置１の使用を終了した（Ｓ１５）。
【００７２】
上述した音声データの記録再生装置１の使用では、検索用のシンセサイザーの音声の入力に対して記録媒体Ａ１９のデジタルデータに２箇所の目的データの候補となる該当個所があったが、検索用の音声の種類の特定と高速フーリエ変換処理で得られる周波数成分の時系列上の配列によって、検索の精度が極めて高いものになっており、その分、検索に要する時間は短くなっている。
上述した音声データの記録再生装置１の使用では、入力端子３から前記ラジオ受信機の音声信号を入力すると共に、右マイクロホン４と左マイクロホン５によってシンセサイザーの音声を音声信号としてピックアップしているが、入力端子３のみからの音声に係る信号の入力、右マイクロホン４と左マイクロホン５のいずれか少なくとも一つからの音声のピックアップであってもよい。
【００７３】
上述した音声データの記録再生装置１の使用では、読み出しを所望するデータ部分の検索にシンセサイザーの音声を用いて行った、つまり、一つの種類の音声を用いて検索を行ったが、読み出しを所望するデータ部分の音声が複数の種類の音声からなる場合には、第一の種類の音声で候補を絞り込み、その絞り込んだ候補から更に第二の種類の音声で候補を絞り込む、・・・・・、ということによって、より一層目的とするデータ、つまり、デジタルデータの中で読み出しを所望するデータ部分をスピーディに行うことが可能である。
音声データの記録再生装置１は、記憶容量の大きい記録媒体Ａ１９に多くの音声をデジタルデータとしてランダムに記録していても所望する音声データを簡便に短時間で読み出すことが可能であり、しかも、読み出しを所望するデータの位置を示す情報データ、その情報データを読み取る手段を必要とすることなく、よって、比較的簡便な構成である。
【図面の簡単な説明】
【００７４】
【図１】この発明を実施するための最良の形態の斜め前方上部から見下ろして見た全体の斜視図である。
【図２】図１に示す発明を実施するための最良の形態において、装置の構成と機能を説明するブロック図ある。
【図３】図１に示す発明を実施するための最良の形態において、要部の機能の流れを時系列的に説明するフローチャートである。
【符号の説明】
【００７５】
１：            音声データの記録再生装置
３：            入力端子
４，５：        マイクロホン
６：            コード入力部
７：            Ａ／Ｄ変換部
８：            クロック
９：            デジタル信号プロセッサ（ＤＳＰ）
１０，１１：    記録再生部
１２：          ＣＰＵ
１４：          操作部
１６：          Ｄ／Ａ変換部
１７：          出力端子
１９：          記録媒体Ａ
２０：          記録媒体Ｂ
２５：          ＦＦＴ処理部
２６，２８：    記憶部
２７：          記録再生制御部
【図１】
2009042431.tif 000003
【図２】
2009042431.tif 000004
【図３】
2009042431.tif 000005